(57)【要約】  一般的に、無線ページング装置、システム及び方法の実施例がここに記載される。他の実施例も記載される。
2009512362.tif 000002
【特許請求の範囲】
【請求項１】
無線パケット交換ネットワーク（WPSN）内で第１のページンググループに関連するマスターページングコントローラ（MPC）基地局と共に配置される第１のマスターページングコントローラ（MPC）であり、移動ノードを前記第１のページンググループに局所化し、前記移動ノードへのパケット転送を制御する第１のMPCと、
前記第１のMPCに結合されるページングデータベースであり、前記移動ノードに関連するページング情報を格納するページングデータベースと
を有する装置。
【請求項２】
前記移動ノードは、前記第１のページンググループに対応する第１の無線周波数（RF）サービスエリア内で電力管理プロトコルに従って動作するように適合される、請求項１に記載の装置。
【請求項３】
前記移動ノードと無線周波数（RF）アソシエーションを確立し、ページング広告を前記移動ノードに送信し、前記移動ノードが前記第１のページンググループに関連する第１のRFサービスエリア内で移動する間に前記移動ノードから位置更新を受信するページング基地局と共に配置される第１のページングコントローラであり、前記移動ノードがアイドル状態にあるときに前記移動ノードに指示されるパケットをバッファし、前記ページング基地局から前記位置更新を受信する第１のページングコントローラを更に有する、請求項１に記載の装置。
【請求項４】
前記第１のページングコントローラは、MPCを有する、請求項３に記載の装置。
【請求項５】
前記第１のページングコントローラは、前記RFアソシエーションに関する情報で前記第１のMPCを更新するスレーブページングコントローラ（SPC）を有する、請求項３に記載の装置。
【請求項６】
前記SPCは、前記SPCと前記第１のMPCとの間でパケットを転送するために、バックホールネットワークを使用して前記第１のMPCに結合される、請求項５に記載の装置。
【請求項７】
前記バックホールネットワークは、前記移動ノードとインターネットとの間でパケットを伝送するために、インターネットに結合される、請求項６に記載の装置。
【請求項８】
前記バックホールネットワークは、コアネットワークに結合され、
前記コアネットワークは、前記移動ノードとインターネットとの間でパケットを伝送するために、インターネットに接続される、請求項６に記載の装置。
【請求項９】
第２のページンググループに関連する第２のページングコントローラであり、前記移動ノードが前記第１のRFサービスエリアから前記第２のページンググループに関連する第２のRFサービスエリアに移動した後に前記移動ノードから位置更新を受信する第２のページングコントローラを更に有する、請求項３に記載の装置。
【請求項１０】
前記第２のページンググループに関連する第２のMPCであり、前記移動ノードが前記第２のRFサービスエリアに移動したという通知を前記第２のページングコントローラから受信し、前記移動ノードが前記第２のRFサービスエリアに移動したことを前記第１のMPCに通知し、前記第１のページングコントローラによりバッファされた何らかのパケットを前記第２のページングコントローラに転送させ、前記ネットワークを通じて前記第２のページングコントローラに転送ルートを確立する第２のMPCを更に有する、請求項９に記載の装置。
【請求項１１】
無線パケット交換ネットワーク（WPSN）内で第１のページンググループに関連するマスターページングコントローラ（MPC）基地局と共に配置される第１のマスターページングコントローラ（MPC）であり、移動ノードを前記第１のページンググループに局所化し、前記移動ノードへのパケット転送を制御する第１のMPCと、
前記第１のMPCに結合されるページングデータベースであり、前記移動ノードに関連するページング情報を格納するページングデータベースと、
前記第１のMPCに結合され、前記第１のMPCに関連する構成情報を表示するディスプレイと
を有するシステム。
【請求項１２】
前記第１のMPCは、前記移動ノードと無線周波数（RF）アソシエーションを確立し、ページング広告を前記移動ノードに送信し、前記移動ノードが前記第１のページンググループに関連する第１のRFサービスエリア内で移動する間に前記移動ノードから位置更新を受信するページング基地局と共に配置される第１のページングコントローラであり、前記移動ノードがアイドル状態にあるときに前記移動ノードに指示されるパケットをバッファし、前記ページング基地局から前記位置更新を受信する第１のページングコントローラに通信可能に結合される、請求項１１に記載のシステム。
【請求項１３】
前記第１のMPCは、前記第２のページンググループに関連する第２のMPCであり、前記移動ノードが前記第２のRFサービスエリアに移動したという通知を前記第２のページングコントローラから受信し、前記移動ノードが前記第２のRFサービスエリアに移動したことを前記第１のMPCに通知し、前記第１のページングコントローラによりバッファされた何らかのパケットを前記第２のページングコントローラに転送させ、前記ネットワークを通じて前記第２のページングコントローラに転送ルートを確立する第２のMPCに通信可能に結合される、請求項１２に記載のシステム。
【請求項１４】
第１のページンググループに関連するマスターページングコントローラ（MPC）基地局と共に配置される第１のマスターページングコントローラ（MPC）を使用して、無線パケット交換ネットワーク（WPSN）内で移動ノードを前記第１のページンググループに局所化し、
前記ネットワークを通じてパケット転送ルートを確立し、パケットを前記移動ノードに配信することを有する方法。
【請求項１５】
前記MPC基地局を有する複数の基地局を第１のページンググループにグループ化し、ページングコントローラは各基地局と共に配置され、
前記ページングコントローラのうち１つを前記第１のMPCとして選択し、
前記第１のMPCであるように選択されていないページングコントローラをスレーブページングコントローラとして命名することさらに有する方法。
【請求項１６】
前記第１のMPCを使用して第１のページングデータベースを維持管理し、前記第１のページングデータベースは、前記移動ノードに関連するアイドルモード保存情報を有し、前記アイドルモード保存情報は、前記移動ノードがアイドル状態である間に維持管理され、
前記移動ノードが前記アイドル状態に入る前に、前記移動ノードを前記第１のMPCに登録することを更に有する、請求項１４に記載の方法。
【請求項１７】
前記アイドルモード保存情報は、前記第１のMPCに関連するページングコントローラ識別情報（PCID）と、前記第１のページンググループに関連するページンググループ識別情報（PGID）とのうち少なくとも１つを有する、請求項１６に記載の方法。
【請求項１８】
前記PCIDと前記PGIDとを前記移動ノードに格納し、
前記移動ノードをアイドル期間の間に前記アイドル状態にし、
前記アイドル期間に続いて前記アイドル状態を出て、
前記移動ノードが前記アイドル状態を出たことを前記第１のMPCに通知し、
前記アイドル状態を出たときに、第１のページング基地局から前記移動ノードで第１のページング広告を受信することを更に有し、前記第１のページング広告は、前記第１のMPCにより起動され、前記第１のMPCに関連するPCIDを有する、請求項１７に記載の方法。
【請求項１９】
前記移動ノードが最後に前記アイドルモードに入った少なくとも１つのページング基地局に関連するページングコントローラ、又は前記移動ノードが最後に位置更新を実行したページング基地局に関連するページングコントローラにパケットをバッファすることを更に有する、請求項１８に記載の方法。
【請求項２０】
前記アイドル状態を出たときに、前記第１のページング広告に応じて前記移動ノードから前記第１のページング基地局に位置更新メッセージを送信することを更に有する、請求項１９に記載の方法。
【請求項２１】
ルーティングを確立するためにMPCを使用して、前記ページングコントローラにバッファされたパケットを前記移動ノードにルーティングすることを更に有し、前記MPCは、前記移動ノードが最後に前記アイドル状態を出たページング基地局に関連するページンググループ内にある、請求項２０に記載の方法。
【請求項２２】
前記移動ノードがページング広告を受信しなければ、位置更新を実行せずに、前記第１のページンググループに関連する無線周波数サービスエリアの領域内で前記移動ノードを移動することを更に有する、請求項１８に記載の方法。
【請求項２３】
前記第１のページンググループに関連する無線周波数（RF）サービスエリアの第１の領域から第２のページンググループに関連するRFサービスエリアの第２の領域に前記移動ノードを移動し、
前記第２のページンググループにある第２のページング基地局から前記移動ノードで第２のページング広告を受信し、前記第２のページング広告は、第２のMPCに関連するPCIDを有し、前記第２のMPCは、前記第２のページンググループに関連し、
前記移動ノードで、前記第２のMPCに関連する前記PCIDと前記移動ノードに格納されたPCIDとを比較し、
前記移動ノードで、前記移動ノードがRFサービスエリアの前記第１の領域からRFサービスエリアの前記第２の領域に移動したことを前記２つのPCIDの比較から推測することを更に有する、請求項１６に記載の方法。
【請求項２４】
前記移動ノードに格納された前記PCIDを前記第２のページング基地局に送信し、
前記第２のページング基地局で、前記移動ノードに格納された前記PCIDと前記第２のMPCに関連する前記PCIDとを比較し、
前記移動ノードに格納された前記PCIDと前記第２のMPCに関連する前記PCIDとが異なることを認識すると、前記移動ノードに格納された前記PCIDを前記第２のページング基地局から前記第２のMPCに送信することを更に有する、請求項２３に記載の方法。
【請求項２５】
前記第２のMPCから前記第１のMPCにメッセージを送信し、前記移動ノードが前記第２のページンググループに移動したことを前記第１のMPCに広告し、
前記アイドルモード保存情報を含む応答を前記第１のMPCから前記第２のMPCで受信し、
前記第２のMPCに関連する第２のページングデータベースに前記アイドルモード保存情報を格納し、
前記第１のMPCに関連する前記第１のページングデータベースから前記アイドルモード保存情報を削除し、
前記第２のMPCに関連する前記PCIDと前記第２のページンググループに関連するPGIDとのうち少なくとも１つを更新し、前記移動ノードに格納することを更に有する、請求項２４に記載の方法。
【請求項２６】
前記第１のMPCと前記第２のMPCとの間で通信されるメッセージは、バックホールネットワークを横断し、
前記バックホールネットワークは、複数の基地局に関連する複数のページングコントローラをコアネットワークに結合する、請求項２５に記載の方法。
【請求項２７】
関連情報を有する機械アクセス可能媒体を有する物であって、
前記情報は、アクセスされたときに、機械を
第１のページンググループに関連するマスターページングコントローラ（MPC）基地局と共に配置される第１のマスターページングコントローラ（MPC）を使用して、無線パケット交換ネットワーク（WPSN）内で移動ノードを前記第１のページンググループに局所化させ、
前記ネットワークを通じてパケット転送ルートを確立し、パケットを前記移動ノードに配信させる物。
【請求項２８】
前記情報は、アクセスされたときに、機械を
前記第１のMPCを使用して第１のページングデータベースを維持管理させ、前記第１のページングデータベースは、前記移動ノードに関連するアイドルモード保存情報を有し、前記アイドルモード保存情報は、前記移動ノードがアイドル状態である間に維持管理され、
前記移動ノードが前記アイドル状態に入る前に、前記移動ノードを前記第１のMPCに登録させる、請求項２７に記載の物。
【請求項２９】
前記情報は、アクセスされたときに、機械を
前記移動ノードが最後に前記アイドルモードに入ったページング基地局、又は前記移動ノードが最後に位置更新を実行したページング基地局のうち少なくとも１つに関連するページングコントローラにパケットをバッファさせ、
ルーティングを確立するためにMPCを使用して、前記ページングコントローラにバッファされたパケットを前記移動ノードにルーティングさせ、前記MPCは、前記移動ノードが最後に前記アイドル状態を出たページング基地局に関連するページンググループ内にある、請求項２７に記載の物。
【発明の詳細な説明】
【技術分野】
【０００１】
ここに記載する様々な実施例は、移動ノードを局所化してパケットストリームを指示するために使用される装置、システム及び方法を含み、一般的にデジタル通信に関する。
【背景技術】
【０００２】
将来の無線ネットワーク技術は、パケット交換アーキテクチャで設計された無線ネットワークを有し得る。このようなネットワークは、ここでは無線パケット交換ネットワーク（WPSN：wireless  packet-switched  network）と呼ばれることがある。WPSN内で動作する移動無線装置（“移動ノード”）は、場合によって、特にデータと音声とビデオとを含み、様々なメディアを通信することができてもよい。インターネットプロトコル（IP：internet  protocol）データグラムが使用されてもよい。
【０００３】
WPSNは、移動動作をサポートし得る。すなわち、移動ノードは、移動ノードが無線プロトコルを介して帰属した第１の基地局に関連する無線周波数（RF：radio-frequency）サービスエリアの領域で動作し得る。移動ノードは、他のネットワークノードとパケット交換セッション（例えば、伝送制御プロトコルセッション）に関与し得る。移動ノードは、パケット交換セッションを切断することなく、第１の基地局に関連するRFサービスエリアの領域から第２の基地局に関連するRFサービスエリアの領域に移動し得る。
【０００４】
移動ノードは、第１の基地局から第２の基地局に移行するときに、登録メッセージを送信することにより、その現在位置をネットワークに更新し得る。このことは、大量の移動ノードをサポートするWPSNで多数の帯域消費的な制御メッセージを生じ得る。RFサービスエリアの単位領域毎の基地局の数が増加すると共に、問題は悪化し得る。データ送信は本質的にバーストになり得るため、パケット交換セッションが進行中でなくても、移動ノードは、ユーザがWPSNを移動すると位置更新を送信する必要があり得る。その結果、移動ノードは、電池充電の間に減少した動作時間を受け得る。
【発明を実施するための最良の形態】
【０００５】
図１は、本発明の様々な実施例による装置100及びシステム180のブロック図を有する。ある実施例は、WPSN110で動作する移動ノード106からの位置更新の頻度を減少させてもよい。位置更新の頻度は、移動ノード106が１つ以上の基地局118に関連するRFサービスエリア114の領域内で移動する間に減少してもよい。基地局118は、ここでページンググループと呼ばれるWPSN110の一部（例えば、第１のページンググループ122）に関連してもよい。基地局118は、媒体アクセス制御レイヤ機能と無線物理レイヤ機能とを実装してもよく、RFサービスエリア114を生成するように動作してもよい。
【０００６】
複数のページンググループに関連する基地局からのIPトラヒックは、アクセスプロバイダ・バックホールネットワーク（以下では“バックホールネットワーク124”と呼ばれる）に集約されてもよい。バックホールネットワーク124は、標準的なIPルータ及びスイッチを使用して構成されたIPネットワークを有してもよい。バックホールネットワーク124は、インターネット184に接続されてもよい。バックホールネットワーク124はまた、サービスプロバイダ・コアネットワーク（以下では“コアネットワーク188”と呼ばれる）により他のバックホールネットワークと集約されてもよい。コアネットワーク188は、WPSN110にインターネットとの接続性を提供してもよい。
【０００７】
ここでのある実施例では、ページングコントローラは、ページンググループ内の個々の基地局と共に配置されてもよい。この出願の目的で、“共に配置される”とは、基地局を有する施設内に又は施設に隣接して配置されることを意味する。例えば、ページングコントローラは、基地局を収容するビル内に配置されてもよく、基地局アンテナ複合体に取り付けられてもよい。１つのページングコントローラは、マスターページングコントローラ（MPC：master  paging  controller）を含む特定のグループに関連するページングコントローラの結果として生じるセットから選択されてもよい。ページンググループ内の各基地局と共に配置される全ての他のページングコントローラは、スレーブページングコントローラ（SPC：slave  paging  controller）として命名（denominate）される。SPCは、移動ノードのパケットをバッファし、移動ノードがアイドルモードで動作している間に移動ノードの位置をMPCに更新してもよい。MPCは、ページンググループ内の基地局に、ページングメッセージを移動ノードにブロードキャストするように命令する。
【０００８】
従って、例えば、第１のMPC126A及び126Bは、移動ノード106に指示されるページング広告が基地局118によりブロードキャストされることを生じてもよい。基地局118は、第１のページンググループ122に関連する。ページング広告は、移動ノード106にその位置を問い合わせ、移動ノード106に保留中のデータを通知してもよい。
【０００９】
ページング広告の送信をページンググループに制限することは、スペクトルリソースを節約し得る。WPSN110は、様々なシステム係数に基づいてページンググループに分割されてもよい。これらは、特に、予想される移動ノードのトラヒックに対する基地局密度を有してもよい。従って、移動ノード106は、第１のページンググループ122に関連するRFサービスエリア114の第１の領域から第２のページンググループ134に関連するRFサービスエリア130の第２の領域に移動すると、WPSN110を更新してもよい。WPSN110は、特定のページンググループ内での１つの基地局から他の基地局への移動ノード106の移動を追跡せずに、移動ノードを特定のページンググループに局所化（localize）してもよい。ある実施例は、このアーキテクチャを使用してページング局所化（paging  localization）の精度の調整をサポートしてもよい。
【００１０】
従って、ページンググループ（例えば、ページンググループ122又はページンググループ134）は、移動ノード106が上りリンク方向で送信する必要がないが、必要に応じて下りリンク方向でページングされ得る連続的なサービスエリアを提供してもよい。例えば、移動ノード106は、ページンググループが保留中のトラヒックを移動ノード106に転送し得るように、又は移動ノード106とネットワーク管理サービストランザクションを実行し得るように下りリンク方向でページングされてもよい。本発明のある実施例は、開示されたアーキテクチャを使用して、WPSN110に関連するスペクトルリソースを節約しつつ、移動ノード106で少ない電力リソースを節約し得る。
【００１１】
別々のMPCが複数のページンググループのそれぞれに関連し得る例示的な実施例について説明し得る。しかし、ある実施例では、MPCは、１つより多くのページンググループでページングを制御してもよい。
【００１２】
従って、装置100は、MPC基地局140と共に配置される第１のMPC126Aを有してもよい。MPC基地局140は、WPSN110内で第１のページンググループ122に関連してもよい。第１のMPC126Aは、移動ノード106を第１のページンググループ122に局所化し、移動ノード106へのパケット転送を制御してもよい。移動ノード106は、第１のページンググループ122に対応する第１のRFサービスエリア114内で電力制御プロトコルに従って動作するように適合されてもよい。第１のページングデータベース144は、第１のMPC126Bに結合され、移動ノード106に関連するページング情報を格納してもよい。
【００１３】
ページング基地局146は、移動ノード106とRFアソシエーションを確立してもよい。ページング基地局146はまた、ページング広告を移動ノード106に送信してもよい。移動ノード106が第１のページンググループ122に関連する第１のRFサービスエリア114内を移動する間に、ページング基地局146は、移動ノード106から位置更新を受信してもよい。位置更新は、ページング広告に応じるものでもよい。
【００１４】
装置100はまた、ページング基地局146と共に配置される第１のページングコントローラ148を有してもよい。第１のページングコントローラ148は、MPCを有してもよい。代替として、第１のページングコントローラ148は、RFアソシエーションに関する情報で第１のMPCを更新するSPCを有してもよい。移動ノード106がアイドル状態である間に、第１のページングコントローラ148は、移動ノード106に指示されるパケット150をバッファしてもよい。パケットバッファ151及び152は、それぞれMPC126B及び156Bに関連してもよい。同様のパケットバッファがSPCに関連してもよい。第１のページングコントローラ148はまた、ページング基地局146から位置更新を受信してもよい。
【００１５】
SPCは、SPCと第１のMPC126Aとの間でパケットを転送するためにバックホールネットワーク124を使用して第１のMPC126Aに結合されてもよい。バックホールネットワーク124は、移動ノード106とインターネット184との間でパケットを伝送するために、インターネット184に結合されてもよい。前述のように、バックホールネットワーク124はまた、コアネットワーク188に結合されてもよい。次に、コアネットワーク188は、移動ノードとインターネット184との間でパケットを伝送するために、インターネット184に接続されてもよい。
【００１６】
装置100はまた、第２のページンググループ134に関連する第２のページングコントローラ154を有してもよい。移動ノード106が第１のRFサービスエリア114から第２のページンググループ134に関連する第２のRFサービスエリア130に移動した後に、第２のページングコントローラ154は、移動ノード106から位置更新を受信してもよい。第２のMPC156A及び156Bは、移動ノード106が第２のRFサービスエリア130に移動したという通知を第２のページングコントローラ154から受信するために、第２のページンググループ134に関連してもよい。
【００１７】
第２のMPC156Aはまた、移動ノード106が第２のRFサービスエリア130に移動したことを第１のMPC126Aに通知してもよい。１つ以上のアイドルモード保存パラメータ（一般的に160及び161として示す）が、移動ノード106に関連してもよい。アイドルモード保存パラメータ160及び161は、ページングコントローラ識別情報、ページンググループ識別情報又はこれらの双方を有してもよい。アイドルモード保存パラメータ160及び161は、第１のMPC126Bにより維持管理される第１のページングデータベース144から第２のMPC156により維持管理される第２のページングデータベース164に伝送されてもよい。伝送168は、移動ノード106が第１のRFサービスエリア114から第２のRFサービスエリア130に移動するときに生じてもよい。
【００１８】
第２のMPC156Aは、第１のページングコントローラ148によりバッファされた何らかのパケットが第２のページングコントローラ154に転送されることを生じてもよい。第２のMPC156Aはまた、ネットワークを通じて第２のページングコントローラ154に転送ルート（例えば、ルート170又はルート172）を確立してもよい。移動ノード106に配信するためにWPSN110により受信されたパケットは、転送ルート170又は172を介して第２のページングコントローラ154に転送されてもよい。
【００１９】
他の実施例では、前述のように、システム180は、１つ以上の装置100を有してもよい。システム180はまた、第１のMPCに関連する構成情報を表示するために第１のMPC126Bに結合されたディスプレイ192を有してもよい。ディスプレイ192は、陰極線管ディスプレイ又は固体ディスプレイ（特に、液晶ディスプレイ、プラズマディスプレイ又は発光ダイオードディスプレイ等）を有してもよい。
【００２０】
前述の何らかの構成要素は、ソフトウェアでの実施例を含み、複数の方法で実装されてもよい。従って、装置100、移動ノード106、無線パケット交換ネットワーク（WPSN）110、無線周波数（RF）サービスエリア114、130の領域、基地局118、140、146、ページンググループ122、134、バックホールネットワーク124、ページングコントローラ126A、126B、148、154、156A、156B、ページングデータベース144、164、パケット150、パケットバッファ151、152、アイドルモード保存パラメータ160、161、伝送168、ルート170、172、システム180、インターネット184、コアネットワーク188、及びディスプレイ192の全てが、ここでは“モジュール”として特徴付けられてもよい。
【００２１】
モジュールは、装置100及びシステム180の設計者により必要に応じて、様々な実施例の特定の実装に適合して、ハードウェア回路、単一又は複数のプロセッサ回路、メモリ回路、ソフトウェアプログラムモジュール及びオブジェクト、ファームウェア、並びにこれらの組み合わせを有してもよい。
【００２２】
様々な実施例の装置及びシステムは、基地局と共に配置されたマスターページングコントローラを使用してページンググループ内でページングブロードキャストを制御する以外の用途に使用され得ることがわかる。従って、本発明の実施例はこれに限定されない。装置100及びシステム180の例は、様々な実施例の構造の一般的な理解を提供することを目的とする。これらは、ここに記載の構成を利用し得る装置及びシステムの全ての要素及び機能の完全な説明としての役目をすることを意図しない。
【００２３】
様々な実施例の新規の装置及びシステムを有し得る用途は、高速コンピュータで使用される電子回路、通信及び信号処理回路、モデム、単一又は複数のプロセッサモジュール、単一又は複数の内蔵プロセッサ、データスイッチ、並びにマルチレイヤ・マルチチップ・モジュールを含む特定用途向けモジュールを含む。このような装置及びシステムは、様々な電子システム（テレビ、携帯電話、パーソナルコンピュータ（例えば、ラップトップコンピュータ、デスクトップコンピュータ、ハンドヘルドコンピュータ、タブレットコンピュータ等）、ワークステーション、ラジオ、ビデオプレイヤ、オーディオプレイヤ（例えば、MP3プレイヤ）、乗物等）内のサブコンポーネントとして更に含まれてもよい。ある実施例は、複数の方法を有してもよい。
【００２４】
図２、３Ａ及び３Ｂは、本発明の様々な実施例による複数の方法を示すフローチャートである。方法200は、WPSN内でページングコントローラ構成を初期化することを有してもよい。方法200は、ブロック205で始まり、MPC基地局を含む複数の基地局をページンググループにグループ化してもよい。例えば、図１に戻ると、MPC基地局140を有する基地局118は、ページンググループ122にグループ化されてもよい。ページングコントローラは、ページンググループの各基地局と共に配置されてもよい。方法200は、ブロック207で継続し、第１のMPCとしてページングコントローラの１つを選択してもよい。ブロック209において、第１のMPCであるように選択されていないページングコントローラは、SPCとして命名されてもよい。図１のページングコントローラ148は、MPCとして選択されなくてもよい。従って、ページングコントローラ148はSPCでもよい。
【００２５】
方法300は、移動ノードをWPSN内の第１のページンググループに局所化することを有してもよい。移動ノードは、第１のページンググループに関連するMPC基地局と共に配置される第１のMPCを使用して局所化されてもよい。MPCはまた、移動ノードに１つ以上のパケットを配信するために、ネットワークを通じてパケット転送ルートを確立してもよい。パケット転送ルートは、図１のルート170又はルート172を有してもよい。
【００２６】
方法300は、ブロック311で始まり、移動ノード（MN：mobile  node）がアイドル状態に入る前に移動ノードを第１のMPCに登録してもよい。方法300は、ブロック313において、第１のMPCを使用して第１のページングデータベースを維持管理することを更に有してもよい。第１のページングデータベースは、移動ノードがアイドル状態である間に維持管理される、移動ノードに関連するアイドルモード保存情報を有してもよい。アイドルモード保存情報は、第１のMPCに関連するページングコントローラ識別情報（PCID：paging  controller  identification）、第１のページンググループに関連するページンググループ識別情報（PGID：paging  group  identification）又はこれらの双方を有してもよい。
【００２７】
方法300は、ブロック315において、PCID、PGID又はこれらの双方を移動ノードに格納することを有してもよい。方法300はまた、ブロック317において、アイドル期間の間に移動ノードをアイドル状態にすることを有してもよい。ブロック318において、移動ノードは、第１のページンググループに関連するRFサービスエリアの領域内に動かされてもよい。例えば、RFサービスエリアの領域は、図１の領域114を有してもよい。移動ノードがページング広告を受信しなければ、移動ノードは、位置更新を実行せずに動かされてもよい。
【００２８】
方法300は、ブロック319において、１つ以上のパケットをページングコントローラにバッファすることを有してもよい。パケットをバッファするために使用されるページングコントローラは、移動ノードが最後にアイドル状態に入ったページング基地局に関連してもよい。代替として、パケットは、移動ノードが最後に位置更新を実行したページング基地局に関連するページングコントローラにバッファされてもよい。図１の第１のページングコントローラ148は、これらの概念の一方又は双方の例を有してもよい。
【００２９】
方法300は、ブロック320で継続し、アイドル期間に続いてアイドル状態を出てもよい。ブロック321において、第１のMPCは、移動ノードがアイドル状態を出たことを通知されてもよい。方法300は、ブロック323において、アイドル状態を出たときに第１のページング基地局から移動ノードで第１のページング広告を受信することを有してもよい。第１のページング広告は、第１のMPCにより起動されてもよく、第１のMPCに関連するPCIDを有してもよい。方法300は、ブロック325で継続し、移動ノードから第１のページング基地局に位置更新メッセージを送信してもよい。メッセージは、第１のページング広告に応じて、アイドル状態を出たときに送信されてもよい。
【００３０】
方法300は、ブロック329において、ページングコントローラにバッファされたパケットを移動ノードにルーティングすることを更に有してもよい。移動ノードが最後にアイドル状態を出たページング基地局に関連するページンググループ内にあるMPCが、ルーティングを確立するために使用されてもよい。
【００３１】
方法300は、ブロック331で継続し、第１のページンググループに関連するRFサービスエリアの第１の領域から第２のページンググループに関連するRFサービスエリアの第２の領域に移動ノードを移動してもよい。例えば、移動ノードは、図１の第２のページンググループ134に関連するRFサービスエリア130の第２の領域に動かされてもよい。ブロック333において、第２のページング広告は、第２のページング基地局から移動ノードで受信されてもよい。第２のページング基地局（例えば、図１の第２のページングコントローラ154に関連する基地局）は、第２のページンググループに配置されてもよい。第２のページング広告は、第２のページンググループに関連する第２のMPC（例えば、図１の第２のMPC156A）に関連するPCIDを有してもよい。ブロック337において、移動ノードは、第２のMPCに関連するPCIDと移動ノードに格納されたPCIDとを比較してもよい。ブロック339において、２つのPCIDの比較から、移動ノードは、移動ノードがRFサービスエリアの第１の領域からRFサービスエリアの第２の領域に移動したことを推測してもよい。
【００３２】
方法300は、ブロック341において、移動ノードに格納されたPCIDを第２のページング基地局に送信することを更に有してもよい。ブロック345において、第２のページング基地局は、移動ノードに格納されたPCIDと第２のMPCに関連するPCIDとを比較してもよい。第２のページング基地局は、移動ノードに格納されたPCIDと第２のMPCに関連するPCIDとが異なることを認識してもよい。その結果、ブロック347において、第２のページング基地局は、移動ノードに格納されたPCIDを第２のページング基地局から第２のMPCに送信してもよい。
【００３３】
方法300はまた、ブロック351において、移動ノードが第２のページンググループに移動したことを第１のMPCに広告するために、第２のMPCから第１のMPCにメッセージを送信することを有してもよい。ブロック353において、第２のMPCは、移動ノードに関連するアイドルモード保存情報を含む応答を第１のMPCから受信してもよい。第１のMPCと第２のMPCとの間で通信されるメッセージは、バックホールネットワーク（例えば、図１のバックホールネットワーク124）を横断してもよい。バックホールネットワークは、複数の基地局に関連する複数のページングコントローラをコアネットワークに結合してもよい。第１及び第２のMPCと、パケットをバッファするために使用される１つ以上のページングコントローラとが、複数のページングコントローラに含まれてもよい。
【００３４】
ブロック355において、第２のMPCは、第２のMPCに関連する第２のページングデータベース（例えば、図１の第２のページングデータベース164）にアイドルモード保存情報を格納してもよい。ブロック357において、第１のMPCは、場合によっては情報が第２のページングデータベースに格納されたという確認を受信したときに、そのページングデータベースからアイドルモード保存情報を削除してもよい。方法300は、ブロック359において、第２のMPCに関連するPCID、第２のページンググループに関連するPGID又はこれらの双方を更新して移動ノードに格納することを有してもよい。方法300は、移動ノードが再びアイドル状態に入ると、ブロック317にループバックしてもよい。
【００３５】
第１及び第２のMPCは、モバイルIP（mobile  Internet  protocol）、IEEE（Institute  of  Electrical  and  Electronic  Engineers）802.16eプロトコル又はこれらの双方により規定されるものを含み、他の動作を実行してもよい。モバイルIPに関する更なる情報は、IETF（Internet  Engineering  Task  Force）のRFC（Request  for  Comments）3344“IP  Mobility  Support  for  IPv4”（2002年8月）及び関連のRFCにある。IEEE802.16e（この出願時点で標準がまだ決定していない）に関する更なる情報は、IEEE802.16タスクグループe（Mobile  WirelessMAN(R)）のウェブサイト（http://www.ieee802.org/16/tge/）にある。前述の例は、特定の無線通信プロトコルに関して記載されているが、ここに記載する方法、装置及びシステムは、他の適切な無線通信技術／プロトコル（IEEE802.16ファミリーの標準の変形及び／又は進展等）に従って実装されてもよい。
【００３６】
記載の順序以外の順序でここに記載の動作を実行することも可能である。ここで特定された方法に関して記載した様々な動作は、繰り返して、連続して又は並列して実行可能である。
【００３７】
ソフトウェアプログラムは、コンピュータ型システムでコンピュータ可読媒体から立ち上げられ、ソフトウェアプログラムに規定された機能を実行してもよい。ここに開示された方法を実施及び実行するために設計されたソフトウェアプログラムを生成するために、様々なプログラム言語が使用されてもよい。プログラムは、オブジェクト指向型言語（Java（登録商標）又はC++等）を使用してオブジェクト指向型フォーマットで構成されてもよい。代替として、プログラムは、手続型言語（アセンブリ又はC等）を使用して手続指向型フォーマットで構成されてもよい。ソフトウェアコンポーネントは、遠隔手続き呼び出しを含み、当業者に周知の複数の機構（アプリケーションプログラムインタフェース又はプロセス間通信技術等）を使用して通信されてもよい。様々な実施例の教示は、特定のプログラム言語又は環境に限定されない。従って、以下の図４に関して説明するように、他の実施例が実現されてもよい。
【００３８】
図４は、本発明の様々な実施例による物485のブロック図である。このような実施例の例は、コンピュータ、メモリシステム、磁気若しくは光ディスク、他の記憶装置、又は他の種類の電子装置若しくはシステムを有してもよい。物485は、機械アクセス可能媒体（メモリ489等（例えば、電気要素、光学要素又は電磁気要素を含むメモリ））に結合された１つ以上のプロセッサ487を有してもよい。媒体は、アクセスされたときに機械（例えば、プロセッサ487）が前述の動作を実行することを生じる関連情報491（例えば、コンピュータプログラム命令、データ又はこれらの双方）を有してもよい。
【００３９】
ここに開示された装置、システム及び方法を実施することは、WPSN内で連続的なページング領域を提供してもよい。移動ノードは、WPSN内でページンググループに局所化されてもよく、保留中のパケットストリームはWPSNから移動ノードに配信されてもよい。開示されたアーキテクチャは、移動ノードの電力とシステムのスペクトルリソースを節約し得る。
【００４０】
本発明の概念は、802.xxの実装（例えば、802.11、802.11a、802.11g、802.11n、802.11HT、802.16等）の例に関連して説明した実施例を含み得るが、特許請求の範囲はこれに限定されない。本発明の実施例は、何らかの有線又は無線システムの一部として実装されてもよい。例はまた、非限定的に、無線パーソナルエリアネットワーク（WPAN：wireless  personal  area  network）、無線ローカルエリアネットワーク（WLAN：wireless  local  area  network）、無線メトロポリタンエリアネットワーク（WMAN：wireless  metropolitan  area  network）、無線広域ネットワーク（WWAN：wireless  wide  area  network）、セルラネットワーク、第３世代（3G）ネットワーク、第４世代（4G）ネットワーク、ユニバーサル移動電話システム（UMTS：universal  mobile  telephone  system）及び同様の通信システムで使用され得るような、マルチキャリア無線通信チャネル（例えば、OFDM、DMT等）を有する実施例を含んでもよい。
【００４１】
本発明の一部を形成する添付図面は、限定ではなく一例として、対象が実施され得る特定の実施例を示している。図示の実施例は、当業者がここに開示された教示を実施することができるほど十分詳細に記載されている。この開示の範囲を逸脱することなく、構造的及び論理的な代替及び変更が行われるように、他の実施例も使用及び導出されてもよい。従って、この詳細な説明は、限定の意味で取られるのではない。様々な実施例の範囲は、特許請求の範囲の特典がある均等の全範囲と共に、特許請求の範囲のみにより定められる。
【００４２】
本発明の対象のこのような実施例は、１つより多くのものが実際に開示されている場合に、この出願の範囲を単一の発明又は発明の概念に自発的に制限することを意図することなく、ここでは、便宜的に個々に又は合わせて単に“本発明”という用語により示され得る。従って、ここでは特定の実施例が図示されて記載されているが、同じ目的を実現するように計算された何らかの構成が、図示の特定の実施例に代用されてもよい。この開示は、様々な実施例の何らか及び全ての適合又は変更をカバーすることを意図する。特にここに記載されていない前述の実施例の組み合わせ及び他の実施例は、前述の説明を検討することにより当業者に明らかになる。
【００４３】
要約は、読者が技術的開示の本質を迅速に確かめることを可能にする要約を求める37.C.F.Rの§1.72(b)に従うように提供される。要約は、特許請求の範囲の範囲又は意味を解釈又は制限するために使用されないという解釈で提示される。更に、前述の詳細な説明では、開示を簡素化する目的で様々な機能が単一の実施例にグループ化されていることがわかる。この開示の方法は、各請求項に明示的に記載されたものより多い機能を必要とするように解釈されるべきではない。むしろ、本発明の対象は、単一の開示された実施例の全ての機能より小さいものにある。従って、特許請求の範囲が詳細な説明に組み込まれ、各請求項が別々の実施例として自立する。
【図面の簡単な説明】
【００４４】
【図１】本発明の様々な実施例による装置及び代表的なシステムのブロック図
【図２】本発明の様々な実施例による複数の方法を示すフローチャート
【図３Ａ】本発明の様々な実施例による複数の方法を示すフローチャート
【図３Ｂ】本発明の様々な実施例による複数の方法を示すフローチャート
【図４】本発明の様々な実施例による物のブロック図
【図１】
2009512362.tif 000003
【図２】
2009512362.tif 000004
【図３Ａ】
2009512362.tif 000005
【図３Ｂ】
2009512362.tif 000006
【図４】
2009512362.tif 000007
【国際調査報告】
2009512362.tif 000008
2009512362.tif 000009
2009512362.tif 000010